(57)【要約】【課題】既存のフレームに対して強固に取り付けることができ、しかもコストを抑える。【解決手段】電動アシスト車輪ユニットＡは、駆動軸を回転させる減速機付モータと、駆動軸に対して相対回転可能に支持された車輪１３ｒと、車体のフレーム１１に沿って延び、減速機付モータ、及び車輪１３ｒをフレーム１１に固定するブラケット１００と、車輪１３ｒに制動力を付与するブレーキ部材１１０と、を一体に備える。【選択図】図１５
2017024459.tif 000002
【特許請求の範囲】
【請求項１】
駆動軸を回転させるモータと、
前記駆動軸に対して相対回転可能に支持された車輪と、
車体のフレームに沿って延び、前記モータ、及び前記車輪を前記フレームに固定する固定部材と、
前記車輪に制動力を付与するブレーキ機構と、
を一体に備えることを特徴とする電動アシスト車輪ユニット。
【請求項２】
前記モータ、前記車輪、前記固定部材、および前記ブレーキ機構の少なくとも一つは、前記フレームに対する取付位置を中心として対称に形成されていることを特徴とする請求項１に記載の電動アシスト車輪ユニット。
【請求項３】
請求項１または請求項２に記載された電動アシスト車輪ユニットと、
前記車体の前記フレームと、を備えた手押し移動体であって、
前記フレームは、前記固定部材の位置を決める位置決め固定部を少なくとも１つ備えていることを特徴とする手押し移動体。
【請求項４】
前記位置決め固定部は、前記フレームに、前記フレームに既設の部品装着用の穴であることを特徴とする請求項３に記載の手押し移動体。
【発明の詳細な説明】
【技術分野】
【０００１】
本発明は、例えば、シルバーカー、ベビーカー、ショッピングカート、リハビリテーション用歩行車、台車等の手押し移動体に適用される電動アシスト車輪ユニット、およびそれを備えた手押し移動体に関するものである。
【背景技術】
【０００２】
従来から、シルバーカー、ベビーカー、ショッピングカート、リハビリテーション用歩行車、台車等の手押し移動体においては、手動で移動させるものが一般的である。
一方、車椅子においては、車輪をモータにより回転駆動させる電動のものも用いられている。また、老人等がもたれ掛かりながら手押しすることで歩行を補助するシルバーカー等の手押し移動体においても、モータによるアシストを行うことが検討されている。
【０００３】
また、手動の手押し移動体にモータ等を装着し、電動アシスト機能を追加することも行われつつある。例えば特許文献１には、手動の車椅子の車体フレームに、ブラケットを介して、電動車椅子用の駆動輪を装着する構成が開示されている。このブラケットは、既存の車軸取付ボスに固定され、駆動輪を支持する駆動輪支持部と、駆動輪を駆動する電動ユニットからの反力を受ける反力受け部と、を有している。
【先行技術文献】
【特許文献】
【０００４】
【特許文献１】特許第３７２４８７３号公報
【発明の概要】
【発明が解決しようとする課題】
【０００５】
しかしながら、特許文献１に開示された構成においては、駆動輪を装着するためのブラケットは、既存の車軸取付ボスに固定されている部分から、駆動輪支持部が車体後方にオフセットするとともに、駆動輪支持部が下方に延びて設けられている。したがって、走行中等においても、駆動輪を車体フレームに安定して固定するには、ブラケットを強固なものとしなければならず、コストがかかる。
【０００６】
そこでなされた本発明の目的は、既存のフレームに対して強固に取り付けることができ、しかもコストを抑えることのできる電動アシスト車輪ユニット、およびそれを備えた手押し移動体を提供することである。
【課題を解決するための手段】
【０００７】
本発明は、上記課題を解決するため、以下の手段を採用する。
すなわち、本発明の電動アシスト車輪ユニットは、駆動軸を回転させるモータと、前記駆動軸に対して相対回転可能に支持された車輪と、車体のフレームに沿って延び、前記モータ、及び前記車輪を前記フレームに固定する固定部材と、前記車輪に制動力を付与するブレーキ機構と、を一体に備えることを特徴とする。
【０００８】
このような構成によれば、モータ、及び車輪をフレームに固定する固定部材が車体のフレームに沿って延びているので、固定部材をフレームに対して強固に固定することができる。このような固定部材は、車体のフレームに沿うように形成すれば良く、板金加工等により低コストに製作することができる。
また、このようにして、モータ、及び車輪と、固定部材と、ブレーキ機構とが一体にユニット化されることで、車体のフレームへの取付を容易に行うことができる。
【０００９】
また、本発明は、前記モータ、前記車輪、前記固定部材、および前記ブレーキ機構の少なくとも一つは、前記フレームに対する取付位置を中心として対称に形成されているようにしてもよい。
【００１０】
このような構成によれば、モータ、車輪、固定部材、ブレーキ機構の少なくとも一つの部材を、フレームに対する取付位置を中心として対称に形成することで、車体の左右で、部材を反転させることで共通化することができる。これによっても、低コスト化を図ることができる。
【００１１】
また、本発明の手押し移動体は、上記したような電動アシスト車輪ユニットと、前記車体の前記フレームと、を備えた手押し移動体であって、前記フレームは、前記固定部材の位置を決める位置決め固定部を少なくとも１つ備えていることを特徴とする。
【００１２】
このような構成によれば、フレームに設けられた位置決め固定部に固定部材を位置決めすることで、電動アシスト車輪ユニットを、車体のフレームに対して確実かつ高精度に装着することができる。
【００１３】
また、本発明は、前記位置決め固定部は、前記フレームに、前記フレームに既設の部品装着用の穴であるようにしてもよい。
【００１４】
このような構成によれば、位置決め固定部に、ブレーキや車輪の車軸、その他の部品等、フレームに既設されている部品装着用の穴を用いることで、フレームへの加工等を抑えて、電動アシスト車輪ユニットを容易かつ低コストに装着することができる。
【発明の効果】
【００１５】
本発明によれば、既存のフレームに対して強固に取り付けることができ、しかもコストを抑えることが可能となる。
【図面の簡単な説明】
【００１６】
【図１】本発明の実施形態における車輪ユニットを備えた手押し移動体の一例を示す斜視図である。
【図２】本発明の実施形態における駆動ユニットの構成を示す斜視展開図である。
【図３】本発明の実施形態における減速機モータの構成を示す断面図である。
【図４】本発明の実施形態におけるクラッチ機構を示す斜視図である。
【図５】本発明の実施形態における駆動軸を示す斜視図である。
【図６】本発明の実施形態におけるクラッチ機構の構成を示し、駆動軸の軸線方向に沿った断面図である。
【図７】本発明の実施形態におけるホルダーを示す斜視図である。
【図８】本発明の実施形態におけるホルダーの内側に形成されたガイド溝を示す斜視図である。
【図９】本発明の実施形態におけるホルダーの内側に形成されたガイド溝を、図８とは異なる角度から見た斜視図である。
【図１０】本発明の実施形態におけるホルダーの内側から見たガイド溝を、周方向に展開して示した図である。
【図１１】本発明の実施形態における上記クラッチ機構において、クラッチプレートをスプラインプレートに噛み合わせた状態を示す断面図である。
【図１２】本発明の実施形態におけるホルダーの内側に操作ノブを配した状態を示す斜視図である。
【図１３】本発明の実施形態における操作ノブを内側に配したホルダーを、図１２とは異なる方向から見た斜視図である。
【図１４】本発明の実施形態におけるクラッチ機構において、ガイドピンがガイド溝の凸部を乗り越えるときの、クラッチプレートとスプラインプレートとの位置関係を示す断面図である。
【図１５】本発明の実施形態における車輪ユニットの構成を示す斜視図である。
【図１６】本発明の実施形態における車輪ユニットを図１５とは異なる方向から見た斜視図である。
【図１７】本発明の実施形態における車輪ユニットを構成するブラケットの構成を示す斜視展開図である。
【図１８】本発明の実施形態におけるブラケットのフレームへの取付状態を示す斜視図である。
【図１９】本発明の実施形態におけるブラケットを示す斜視図である。
【発明を実施するための形態】
【００１７】
次に、本発明の実施形態に係る電動アシスト車輪ユニット、およびそれを備えた手押し移動体について、図面を参照して説明をする。
図１は、本発明の実施形態における車輪ユニットを備えた手押し移動体の一例を示す斜視図である。
【００１８】
（電動アシストシルバーカー）
図１に示すように、電動アシストシルバーカー（手押し移動体）１０は、フレーム１１と、収納部１２と、車輪１３と、を備えている。
【００１９】
フレーム１１は、収納部１２を支持する座部フレーム１１ａと、座部フレーム１１ａの一端に設けられ、上方に向けて延びる背部フレーム１１ｂと、座部フレーム１１ａから下方に向けて延びる脚部フレーム１１ｃと、を備える。
ここで、以下の説明においては、平面視した状態で、座部フレーム１１ａに対して背部フレーム１１ｂが設けられた側を後方、その反対側を前方、前後方向に向かって左右両側を側方と称することがある。
【００２０】
収納部１２は、内部に物品等を収容できる物品収容部１２ａと、物品収容部１２ａの上方を覆い、上面に物品を載置したり着座したりすることが可能な台部１２ｂと、を備えている。
【００２１】
車輪１３は、脚部フレーム１１ｃの下端部に設けられている。車輪１３は、ホイール１３ｗと、ホイール１３ｗの外周部に装着されたタイヤ１３ｔと、を備えている。
この実施形態において、脚部フレーム１１ｃは、上方から下方に向かって、平面視した状態で電動アシストシルバーカー１０の四隅に向けて延びている。これにより、車輪１３は、電動アシストシルバーカー１０の四隅に配されている。ここで、４つの車輪１３のうち、フレーム１１の前方の幅方向両側に設けられている車輪１３ｆは、脚部フレーム１１ｃを挟んでその両側に二個一対で設けられている。また、フレーム１１の後方の幅方向両側に設けられている車輪１３ｒは、脚部フレーム１１ｃの側方に設けられている。
【００２２】
電動アシストシルバーカー１０は、例えば後方の幅方向両側の車輪１３ｒを回転駆動させる電動アシスト機構を備えている。電動アシスト機構は、車輪１３ｒを回転駆動する駆動ユニット（電動アシスト装置）２０Ａと、収納部１２内に収納され、駆動ユニット２０Ａの動作を制御する制御部１８と、を備えている。
【００２３】
（駆動ユニット）
図２は、車輪ユニットに設けられた駆動ユニットの構成を示す斜視展開図である。
同図に示すように、駆動ユニット２０Ａは、減速機付モータ（モータ）２１と、車輪１３ｒと、クラッチ機構Ｃ１と、を備えている。
【００２４】
（減速機付モータ）
減速機付モータ２１は、ケース２１０と、ケース２１０内に設けられたモータ部２２０と、減速機部２３０と、駆動軸２４０を備えている。
【００２５】
図３は、駆動ユニットを構成する減速機モータの構成を示す断面図である。
同図に示すように、減速機付モータ２１は、ケース２１０内に、モータ部２２０と、ハイポサイクロイド減速方式により作動し、モータ部２２０から入力される回転を減速し、減速された回転を出力する減速機部２３０と、を備える。
【００２６】
ケース２１０は、中央部に開口部２１１ｈが形成された略板状の隔壁部２１１と、隔壁部２１１の一方の側に筒状に延び、モータ部２２０を収容する第一ハウジング２１２と、隔壁部２１１の他方の側に筒状に延び、減速機部２３０を収容する第二ハウジング２１３と、を一体に備えている。
【００２７】
隔壁部２１１の一方の側に形成された第一ハウジング２１２の端部２１２ａは、蓋体２１５により閉塞されている。
【００２８】
モータ部２２０は、第一ハウジング２１２の内周面に固定された円環形状のステータ２２１と、後述する入力軸２３１の一端２３１ａに固定され、ステータ２２１の内側にて回転自在に配置されたロータ２２２と、ステータ２２１に外部からの制御電流を供給する配電基板２１４と、を備える。
【００２９】
ステータ２２１は、鋼板を積層して形成されたステータコア２２１ａと、インシュレータ２２１ｂ、２２１ｂを介してステータコア２２１ａに巻装されたコイル２２１ｃと、を備える。
ロータ２２２は、椀形状のロータ本体２２２ａと、ロータ本体２２２ａの外周面に取り付けられたマグネット２２２ｂと、を備える。
【００３０】
このようなモータ部２２０は、配電基板２１４から供給される制御電流をステータ２２１に印加することにより、その内側でロータ２２２が入力軸２３１とともに中心軸回りに回転駆動される。
【００３１】
減速機部２３０は、ハイポサイクロイド減速方式により作動し、モータ部２２０から入力される回転を減速し、減速された回転を出力する。この減速機部２３０は、入力軸２３１と、第一内歯歯車２３２と、回転部材２３３と、第一外歯歯車２３４と、第二内歯歯車２３５と、第二外歯歯車２３６と、出力部材２３７と、を備える。
【００３２】
入力軸２３１は、ケース２１０の隔壁部２１１に形成された開口部２１１ｈに、ベアリングＢ１を介してその中心軸回りに回転自在に支持されている。入力軸２３１は、一端２３１ａが隔壁部２１１の一方の側に突出し、他端２３１ｂが隔壁部２１１の他方の側に突出するよう設けられている。入力軸２３１の一端２３１ａには、前記ロータ２２２が設けられている。これにより、モータ部２２０の駆動により、入力軸２３１は、ロータ２２２とともに、その中心軸ＣＬ回りに回転駆動される。
【００３３】
第一内歯歯車２３２は、円環形状で、第二ハウジング２１３に内嵌されている。第一内歯歯車２３２の内周面に沿って、複数の内歯２３２ｇが形成されている。
【００３４】
回転部材２３３は、略円盤形状で、入力軸２３１の中間部に形成された偏心軸部２３１ｈに、ベアリングＢ２、Ｂ２を介して回転自在に設けられている。偏心軸部２３１ｈは、入力軸２３１の中心軸ＣＬに対し、所定寸法δだけ離れて平行に位置する偏心軸心ＥＬを有している。これにより、回転部材２３３は、入力軸２３１が回転すると、半径δの円弧回りに公転する。
【００３５】
第一外歯歯車２３４は、円環形状で、回転部材２３３の外周に一体的に取り付けられている。この第一外歯歯車２３４は、第一内歯歯車２３２の内周側に配置されている。第一外歯歯車２３４は、その外周部に沿って、第一内歯歯車２３２の内歯２３２ｇに噛み合う複数の外歯２３４ｇが形成されている。この第一外歯歯車２３４は、外歯２３４ｇのピッチ円半径が、第一内歯歯車２３２の内歯２３２ｇのピッチ円半径よりも大きく設定されている。
このような第一外歯歯車２３４は、入力軸２３１の回転により、回転部材２３３と一体に公転しつつ、第一内歯歯車２３２との噛み合いにより自転する。
【００３６】
第二内歯歯車２３５は、円環状で、第一外歯歯車２３４と一体的に設けられ、第一外歯歯車２３４から隔壁部２１１に対向する側とは反対側に延びるように形成されている。この第二内歯歯車２３５の内周面に沿って、複数の内歯２３５ｇが形成されている。
この第二内歯歯車２３５は、第一外歯歯車２３４と一体に公転しつつ自転し、いわゆる遊星動作する。
【００３７】
第二外歯歯車２３６は、円環形状で、第二内歯歯車２３５の内側に配置されている。第二外歯歯車２３６は、その外周面に沿って、複数の外歯２３６ｇが形成されている。第二外歯歯車２３６は、そのピッチ円半径が、第二内歯歯車２３５のピッチ円半径よりも大きく設定されている。この第二外歯歯車２３６は、出力部材２３７に形成された筒状の歯車保持部２３７ａに外嵌されている。
第二外歯歯車２３６の外歯２３６ｇは、その内側で入力軸２３１の回転によって遊星動作する第二内歯歯車２３５の内歯２３５ｇに噛み合う。
【００３８】
出力部材２３７は、略円盤形状で、その外周部が、第二ハウジング２１３の内周部に、ベアリングＢ３を介し、入力軸２３１の中心軸ＣＬと同軸回りに回転自在に保持されている。出力部材２３７は、隔壁部２１１に対向する側に設けられたベアリングＢ４を介して、入力軸２３１の他端２３１ｂを中心軸ＣＬ回りに回転自在に支持している。
【００３９】
この出力部材２３７は、第二外歯歯車２３６が、入力軸２３１の回転によって遊星動作する第二内歯歯車２３５に噛み合うことで、第二外歯歯車２３６と一体に入力軸２３１の中心軸ＣＬ回りに回転する。このようにして、出力部材２３７は、第二外歯歯車２３６および第二内歯歯車２３５を介して、第一外歯歯車２３４に連係される。
【００４０】
このとき、モータ部２２０の作動による入力軸２３１への回転入力により、第一外歯歯車２３４は入力軸２３１の回転数にて公転運動するとともに、公転運動に対し所定の比率にて減速された回転数にて自転運動を行う。第二内歯歯車２３５は、第一外歯歯車２３４に一体的に設けられていることにより、第一外歯歯車２３４と同一の回転数にて公転および自転運動を行う。
さらに、出力部材２３７は、出力部材２３７と一体に設けられた第二外歯歯車２３６の自転運動により所定の比率にて減速（増速）された回転数の回転出力により回転する。
【００４１】
図２に示すように、出力部材２３７には、駆動軸２４０が取り付けられている。
図４は、駆動ユニットを構成するクラッチ機構を示す斜視図である。
同図に示すように、駆動軸２４０は、出力部材２３７（図２参照）に固定される円盤状のベース部２４１と、ベース部２４１の中心から突出する出力軸部２４２と、を一体に備えている。
【００４２】
ベース部２４１は、周方向に間隔を空けて配置された複数のボルト２４３によって、出力部材２３７に固定されている。
【００４３】
図５は、クラッチ機構を構成する駆動軸を示す斜視図である。
同図に示すように、出力軸部２４２は、ベース部２４１側の一定長が断面視円形の支持軸部２４２ａとされ、先端部側の一定長が二方取り加工されて断面視略長円形とされたガイド軸部２４２ｂとされている。
【００４４】
図２に示すように、減速機付モータ２１は、車輪１３ｒの一方の側に配される。減速機付モータ２１は、駆動軸２４０のベース部２４１を車輪１３ｒの中央部に形成されたセンターハブ部１３Ｃに、円環状のスペーサ２７を介して押し当てるとともに、センターハブ部１３Ｃに形成された貫通孔１３ｈに出力軸部２４２を挿通して設けられる。
【００４５】
（クラッチ機構）
図６は、クラッチ機構の構成を示す、駆動軸の軸線方向に沿った断面図である。
図２、図６に示すように、クラッチ機構Ｃ１は、ベアリング２２と、スプラインプレート２３と、ホルダー２４Ａと、クラッチプレート２５と、操作ノブ２６と、を備える。
【００４６】
ベアリング２２は、ホイール１３ｗの中央部に形成された貫通孔１３ｈの周囲に装着されている。このベアリング２２の内側に、出力軸部２４２の支持軸部２４２ａ（図５参照）が挿入され、これによって、ホイール１３ｗは、ベアリング２２を介して出力軸部２４２に回転自在に支持される。
ここで、駆動軸２４０の出力軸部２４２は、先端部のガイド軸部２４２ｂが、ベアリング２２を貫通して、ホイール１３ｗの他方の側に突出するよう設けられる。
【００４７】
スプラインプレート２３は、略円盤状で、その中央部に開口２３ｈが形成されている。開口２３ｈの内周面には、周方向に複数の内歯２３ｇが形成されている。このスプラインプレート２３は、ホイール１３ｗのセンターハブ部１３Ｃに形成された凹部１３ｄに収容される。
【００４８】
図７は、クラッチ機構を構成するホルダーを示す斜視図である。図８は、ホルダーの内側に形成されたガイド溝を示す斜視図である。図９は、ホルダーの内側に形成されたガイド溝を、図８とは異なる角度から見た斜視図である。
ホルダー２４Ａは、スプラインプレート２３に対し、ホイール１３ｗ側とは反対側に配される。
図２、図６〜図９に示すように、ホルダー２４Ａは、円環状のベース部２４ａと、ベース部２４ａの内周部からスプラインプレート２３と反対側に向かって延びる筒状部２４ｂと、を一体に備えている。
【００４９】
図２、図６に示すように、このホルダー２４Ａは、センターハブ部１３Ｃの凹部１３ｄに収容されたスプラインプレート２３にベース部２４ａを突き当てた状態で、周方向に間隔を空けて配置された複数のボルト２８を、スプラインプレート２３に形成された貫通孔２３ｋ（図６参照）に通し、センターハブ部１３Ｃの凹部１３ｄにねじ込むことで固定される。これにより、ホルダー２４Ａおよびスプラインプレート２３は、ホイール１３ｗのセンターハブ部１３Ｃに固定される。
【００５０】
図８、図９に示すように、ホルダー２４Ａの内周面には、後述する操作ノブ２６の動作をガイドするガイド溝２４ｇが形成されている。ガイド溝２４ｇは、筒状部２４ｂの径方向において互いに対向する位置に、二個一対で形成されている。
【００５１】
図１０は、ホルダーの内側から見たガイド溝を、周方向に展開して示した図である。
図８〜図１０に示すように、各ガイド溝２４ｇは、ホルダー２４Ａの軸方向に連続してホルダー２４Ａの軸方向両端部にそれぞれ開口する導入溝部２４ｃと、導入溝部２４ｃのベース部２４ａ側の端部から周方向に延びるスライド溝部２４ｄと、スライド溝部２４ｄに連通するとともに、スライド溝部２４ｄに対して筒状部２４ｂの周方向に沿って間隔を空けた位置に形成された案内溝部２４ｅと、を備える。
【００５２】
案内溝部２４ｅは、スライド溝部２４ｄから筒状部２４ｂの軸方向に連続し、ベース部２４ａから離間する方向に延びる第一端部２４ｍと、第一端部２４ｍに対して筒状部２４ｂの周方向に間隔を空けた位置に形成され、筒状部２４ｂの軸方向に連続する第二端部２４ｎと、第一端部２４ｍと第二端部２４ｎとの間に形成された螺旋状部２４ｈ、凸部２４ｊ、およびロック部２４ｋと、を有する。
螺旋状部２４ｈは、第一端部２４ｍ側から第二端部２４ｎ側に向かって、ベース部２４ａ側に漸次接近するよう形成された螺旋状に形成されている。
凸部２４ｊは、螺旋状部２４ｈの第二端部２４ｎ側の端部に、筒状部２４ｂの軸方向に沿ってベース部２４ａ側に突出するよう形成されている。
ロック部２４ｋは、凸部２４ｊに隣接する第二端部２４ｎに、筒状部２４ｂの軸方向に沿ってベース部２４ａから離間する側に延出するよう形成されている。
【００５３】
図２、図７に示すように、クラッチプレート２５は、円盤状で、その外周部に沿って複数の外歯２５ｇが形成されている。クラッチプレート２５の中央部には、出力軸部２４２のガイド軸部２４２ｂが挿通される断面略長円形状の軸挿通穴２５ｈが形成されている。クラッチプレート２５は、軸挿通穴２５ｈに出力軸部２４２のガイド軸部２４２ｂが挿通されることで、ガイド軸部２４２ｂに回転不能、かつガイド軸部２４２ｂに沿ってその軸方向にスライド移動可能に保持される。
【００５４】
図２、図６に示すように、出力軸部２４２のガイド軸部２４２ｂの先端部には、ガイド軸部２４２ｂの中心軸に直交する径方向に貫通するストッパピン３０Ａが設けられている。このストッパピン３０Ａは、クラッチプレート２５に対し、ホイール１３ｗ側とは反対側に設けられ、その両端部３０ｔがガイド軸部２４２ｂから径方向に突出して設けられている。このストッパピン３０Ａにより、クラッチプレート２５がガイド軸部２４２ｂに沿ってホイール１３ｗから離間する方向に移動するストロークを規制する。
【００５５】
また、クラッチプレート２５とベアリング２２との間には、スナップリング２９が配されている。このスナップリング２９は、出力軸部２４２のガイド軸部２４２ｂの外周面に固定されている。
スナップリング２９と、クラッチプレート２５との間には、コイルスプリング３１が圧縮状態で設けられている。このコイルスプリング３１により、クラッチプレート２５は、ストッパピン３０Ａ側、つまりホイール１３ｗから離間する方向に押圧されている。
ここで、図２に示すように、スナップリング２９とベアリング２２との間、スナップリング２９とコイルスプリング３１との間には、それぞれ、円環状のシム３３が挟み込まれ、クリアランス調整、付勢力調整等がなされている。
【００５６】
図２、図６に示すように、このような構成において、クラッチプレート２５は、通常状態においては、コイルスプリング３１の押圧力によって、出力軸部２４２のガイド軸部２４２ｂ上においてホイール１３ｗから離間してストッパピン３０Ａに突き当たるよう位置している。この状態で、クラッチプレート２５は、スプラインプレート２３とは噛み合わず、クラッチ「断」の状態とされている。
【００５７】
図１１は、クラッチ機構において、クラッチプレートをスプラインプレートに噛み合わせた状態を示す断面図である。
同図に示すように、クラッチプレート２５を、コイルスプリング３１の押圧力に抗して出力軸部２４２のガイド軸部２４２ｂに沿ってホイール１３ｗ側に移動させると、スプラインプレート２３と噛み合い、クラッチ「続」の状態とされる。
このような、クラッチプレート２５の位置を出力軸部２４２のガイド軸部２４２ｂに沿って移動させることで、クラッチプレート２５とスプラインプレート２３の噛み合いを断続する操作は、操作ノブ２６によって行われる。
【００５８】
図１２は、ホルダーの内側に操作ノブを配した状態を示す斜視図である。図１３は、操作ノブを内側に配したホルダーを、図１２とは異なる方向から見た斜視図である。
図２、図１２、図１３に示すように、操作ノブ２６は、円盤状のベース部２６ａと、ベース部２６ａのホイール１３ｗから離間した側に突出して設けられた摘まみ部２６ｂと、ベース部２６ａの外周部からホイール１３ｗに対向する側に延出する筒状部２６ｃと、筒状部２６ｃの先端部に形成され、クラッチプレート２５の軸挿通穴２５ｈの外周側に突き当たるプレート押圧部２６ｄと、を一体に備えている。また、操作ノブ２６の筒状部２６ｃには、その径方向において対向する位置に、それぞれ外周側に突出するガイドピン３２が固定されている。
【００５９】
この操作ノブ２６は、ホルダー２４Ａの筒状部２４ｂ内に挿入配置される。筒状部２４ｂの内側で、操作ノブ２６に設けられたガイドピン３２が、筒状部２４ｂの内周面に形成されたガイド溝２４ｇに係合している。
【００６０】
操作ノブ２６は、ガイドピン３２が、ホルダー２４Ａのガイド溝２４ｇにおいて、案内溝部２４ｅの螺旋状部２４ｈで第一端部２４ｍ側に位置している状態（図１０における位置Ｐ１）では、図６に示すように、クラッチプレート２５および操作ノブ２６が、コイルスプリング３１の押圧力によって、出力軸部２４２のガイド軸部２４２ｂに沿ってホイール１３ｗから離間する方向にスライドし、クラッチプレート２５がストッパピン３０Ａに突き当たる。この状態で、クラッチプレート２５は、スプラインプレート２３に対して噛み合わず、クラッチ「断」の状態とされる。
【００６１】
この状態から操作ノブ２６を所定方向に回すと、ガイドピン３２が、ガイド溝２４ｇの案内溝部２４ｅ内で、第一端部２４ｍ側から第二端部２４ｎ側に向かって周方向に相対的に移動する。すると、ガイドピン３２が案内溝部２４ｅの螺旋状部２４ｈによって軸方向に押圧される。これにより、操作ノブ２６を回転させるにしたがって、操作ノブ２６がホルダー２４Ａ内でホイール１３ｗ側に引き込まれ、操作ノブ２６とともにクラッチプレート２５が出力軸部２４２のガイド軸部２４２ｂに沿ってスプラインプレート２３側に接近していく。そして、クラッチプレート２５がスプラインプレート２３の内側に入り込み、クラッチプレート２５の外歯２５ｇがスプラインプレート２３の内歯２３ｇに噛み合う。
操作ノブ２６をさらに回転させると、クラッチプレート２５は、スプラインプレート２３の内側で、外歯２５ｇがスプラインプレート２３の内歯２３ｇに噛み合ったまま、出力軸部２４２のガイド軸部２４２ｂに沿ってスライドする。
【００６２】
ガイドピン３２が螺旋状部２４ｈに沿って周方向に移動して凸部２４ｊ（図１０における位置Ｐ２）を乗り越えると、第二端部２４ｎでロック部２４ｋに入り込む。
図１４は、クラッチ機構において、ガイドピンがガイド溝の凸部を乗り越えるときの、クラッチプレートとスプラインプレートとの位置関係を示す断面図である。
同図に示すように、ガイドピン３２がガイド溝２４ｇの凸部２４ｊを乗り越えるとき、クラッチプレート２５は、最も車輪１３ｒ側に位置する。このとき、クラッチプレート２５の一部がスプラインプレート２３よりもホイール１３ｗ側に突出し、クラッチプレート２５の操作ノブ２６側の残部が、外歯２５ｇが内歯２３ｇに噛み合った状態を維持できるよう、スプラインプレート２３の厚さを設定してもよい。これにより、スプラインプレート２３の厚さを最小限に抑えることができる。
【００６３】
図１１に示すように、ガイドピン３２が凸部２４ｊを乗り越えてロック部２４ｋに入り込むと（図１０における位置Ｐ３）、ガイドピン３２が第二端部２４ｎに突き当たることによって、操作ノブ２６のそれ以上の回転が規制される。これにより、クラッチプレート２５は、スプラインプレート２３の内側に位置し、クラッチプレート２５の外歯２５ｇがスプラインプレート２３の内歯２３ｇに噛み合った状態を維持する。
このとき、操作ノブ２６の操作者は、ガイドピン３２がロック部２４ｋに入り込むとともに、ガイドピン３２が第二端部２４ｎに周方向から突き当たることを感知することができる。
このようにして、クラッチプレート２５をスプラインプレート２３にかみ合わせて、クラッチを「続」の状態とすることができる。
【００６４】
ここで、図１２に示すように、操作ノブ２６の摘まみ部２６ｂが、クラッチを「続」の状態、または「断」の状態にあることを使用者が認識出来るよう、ホルダー２４Ａの筒状部２４ｂにおいて操作ノブ２６の外周側に位置する部分に、「ＯＮ」、「ＯＦＦ」といった表示部２４Ｎ、２４Ｆを形成することができる。すなわち、ガイドピン３２が第一端部２４ｍに位置しているときには、摘まみ部２６ｂが「ＯＦＦ」の表示部２４Ｆに一致し、ガイドピン３２が第二端部２４ｎのロック部２４ｋに位置しているときには、摘まみ部２６ｂが「ＯＮ」の表示部２４Ｎに一致するようにする。これにより、操作者は、摘まみ部２６ｂの向きと表示部２４Ｎまたは２４Ｆとを視認することで、クラッチを「続」の状態、または「断」の状態にあることを容易に認識することができる。
【００６５】
このようにしてクラッチを「続」の状態とするために操作ノブ２６を所定方向に回転させるとき、クラッチプレート２５の外歯２５ｇとスプラインプレート２３の内歯２３ｇの位相が周方向にずれていて、外歯２５ｇと内歯２３ｇとが干渉して噛み合わないことがある。この場合、ガイドピン３２は、凸部２４ｊの手前（図１０における位置Ｐ４）に位置し、螺旋状部２４ｈの凸部２４ｊを乗り越えてロック部２４ｋに入り込まず、第二端部２４ｎに突き当たらない。したがって、操作ノブ２６の操作者は、ガイドピン３２がロック部２４ｋに入り込んで操作ノブ２６の回転がロックされたことを感知することができない。さらに、操作ノブ２６がロックされず、操作者が操作ノブ２６を離すと、コイルスプリング３１の押圧力によって、操作ノブ２６が回転して元の位置に戻ってしまう。したがって、操作ノブ２６の操作者は、ガイドピン３２がロック部２４ｋに入り込んで回転がロックされていないこと、つまりクラッチが「続」の状態にないことを容易かつ確実に感知することができる。
【００６６】
クラッチを「続」の状態とするために操作ノブ２６を所定方向に回転させても、クラッチプレート２５の外歯２５ｇとスプラインプレート２３の内歯２３ｇの位相が周方向にずれていて、外歯２５ｇと内歯２３ｇとが干渉して噛み合わない場合、操作ノブ２６をさらに回転させる。すると、操作ノブ２６とクラッチプレート２５との間に生じる摩擦力によって、操作ノブ２６とともにクラッチプレート２５を回転させ、スプラインプレート２３と噛み合いやすくすることができる。
【００６７】
クラッチを「続」の状態から「断」の状態に移行させるには、操作ノブ２６を一旦ホイール１３ｗ側に押し込んだ後、上記とは反対方向に回転させる。すると、ガイドピン３２がベース部２４ａ側に移動してロック部２４ｋから抜け出した後、凸部２４ｊを乗り越えて螺旋状部２４ｈに移動する。さらに操作ノブ２６を回転させれば、ガイドピン３２が螺旋状部２４ｈに沿って周方向に移動しながらベース部２４ａから離間する側に移動する。
【００６８】
これにより、操作ノブ２６およびクラッチプレート２５が、コイルスプリング３１の押圧力によって押圧されながら、スプラインプレート２３から離脱してホイール１３ｗから離間する方向にスライドする。ガイドピン３２が螺旋状部２４ｈで第一端部２４ｍに突き当たると、操作ノブ２６のそれ以上の回転が規制される。これにより、操作ノブ２６の操作者は、操作ノブ２６の回転が規制されることによって、クラッチが「断」状態となったことを感知することができる。
【００６９】
ガイドピン３２が案内溝部２４ｅで第一端部２４ｍに突き当たった状態（図１０における位置Ｐ１）にあるとき、操作ノブ２６を押し込んで、反対方向に回転させると、ガイドピン３２がスライド溝部２４ｄを通り（図１０における位置Ｐ５）、導入溝部２４ｃに入り込む（図１０における位置Ｐ６）。これにより、操作ノブ２６を、ホルダー２４Ａの筒状部２４ｂ内から、ホイール１３ｗから離間する方向に引き出すことができる。これによって、操作ノブ２６をホルダー２４Ａから取り外して、例えばグリスアップ等のメンテナンス等を行うことができる。
【００７０】
（フレームへの取付構造）
図１５は、車輪ユニットの構成を示す斜視図である。図１６は、車輪ユニットを図１５とは異なる方向から見た斜視図である。
図１５、図１６に示すように、上記駆動ユニット２０Ａは、ブラケット（固定部材）１００を介してフレーム１１に装着することができる。ここで、これら駆動ユニット２０Ａと、ブラケット１００とから、電動アシスト車輪ユニットＡが構成されている。
【００７１】
図１７は、車輪ユニットを構成するブラケットの構成を示す斜視展開図である。図１８は、ブラケットのフレームへの取付状態を示す斜視図である。図１９は、ブラケットを示す斜視図である。
図１５〜図１９に示すように、ブラケット１００は、メインブラケット１０１と、固定ブラケット１０２と、ブレーキ部材（ブレーキ機構）１１０と、を備えている。
【００７２】
図１７〜図１９に示すように、メインブラケット１０１は、フレーム１１の脚部フレーム１１ｃの下端部に沿って延びる断面略円弧状のサポート部１０１ａと、サポート部１０１ａの上下にそれぞれ形成され、サポート部１０１ａから幅方向両側方に延びるネジ座部１０１ｂ、１０１ｂと、サポート部１０１ａの上下方向中間部に形成され、サポート部１０１ａから幅方向両側方に延び、バネ係止孔１０１ｈが形成されたバネ係止部１０１ｃと、を一体に有している。
また、サポート部１０１ａの上下には、それぞれ、幅方向中心に、ボルト締結孔１０１ｇが形成されている。
さらに、サポート部１０１ａの上下には、それぞれ、車輪１３ｒ側に向かって延び、減速機付モータ２１を支持する柱状のモータ支持部１０１ｍ、１０１ｍが形成されている。
【００７３】
ここで、メインブラケット１０１は、フレーム１１への取付位置となるボルト締結孔１０１ｇを通る、サポート部１０１ａの中心軸線に対して線対称に形成され、ネジ座部１０１ｂ、１０１ｂや、バネ係止部１０１ｃ、ボルト締結孔１０１ｇ、モータ支持部１０１ｍ、１０１ｍは、それぞれ左右一対に設けられている。
【００７４】
図１５、図１７に示すように、固定ブラケット１０２は、メインブラケット１０１の上部と下部に対してそれぞれ対向するよう配される。固定ブラケット１０２は、フレーム１１の脚部フレーム１１ｃの外周面に沿う断面円弧状のサポート部１０２ａと、サポート部１０２ａから幅方向料側方に延び、ボルト挿通孔１０２ｈが形成されたフランジ部１０２ｂと、を一体に備えている。
【００７５】
このような固定ブラケット１０２は、メインブラケット１０１のサポート部１０１ａと各固定ブラケット１０２のサポート部１０２ａとの間に脚部フレーム１１ｃを挟み込み、フランジ部１０２ｂのボルト挿通孔１０２ｈにボルト１０５を挿通させ、ネジ座部１０１ｂに形成された雌ネジ孔１０１ｎにねじ込む。これによって、メインブラケット１０１と上下の固定ブラケット１０２との間にそれぞれフレーム１１の脚部フレーム１１ｃを挟持することができる。
【００７６】
また、図１７に示すように、メインブラケット１０１の脚部フレーム１１ｃへの位置決めは、脚部フレーム１１ｃに予め形成された、貫通孔（位置決め固定部）１１ｈに、位置決めボルト１０６を挿通させ、メインブラケット１０１のサポート部１０１ａに形成されたボルト締結孔１０１ｇにねじ込むことでなされる。
ここで、メインブラケット１０１の脚部フレーム１１ｃの位置決めに用いる貫通孔１１ｈは、例えば、元々ブレーキを取り付けるためのブレーキ取付孔が用いられている。
【００７７】
図１８、図１９に示すように、ブレーキ部材１１０は、サポートアーム１１１と、ブレーキアーム１１２と、バネ１１３と、を備えている。
【００７８】
サポートアーム１１１は、メインブラケット１０１の上端部から上方に向かって延びるよう、メインブラケット１０１に連結されている。
ブレーキアーム１１２は、サポートアーム１１１の上端部１１１ｂに、シャフト１１４を介して鉛直面内で回動自在に設けられている。ブレーキアーム１１２は、板状で一方向に延びるアームプレート部１１２ａと、アームプレート部１１２ａの一端１１２ｃから側方に延出するよう折り曲げ形成されたシュー支持部１１２ｂと、を一体に備えている。このブレーキアーム１１２は、フレーム１１への取付位置となるシャフト１１４を通る、アームプレート部１１２ａの一端１１２ｃと他端１１２ｄとを結ぶアームプレート部１１２ａの幅方向中心線を中心として、線対称に形成されている。
【００７９】
このブレーキアーム１１２の他端１１２ｄには、操作ワイヤ１２０が連結されている。図１に示すように、この操作ワイヤ１２０は、脚部フレーム１１ｃに固定されたワイヤガイド１２１を介して上方に向かって延びるよう設けられている。操作ワイヤ１２０を、フレーム１１に設けられた操作レバー１２３等で操作することで、ブレーキアーム１１２を鉛直面内で揺動させる。
【００８０】
図１６，図１８、図１９に示すように、シュー支持部１１２ｂには、車輪１３ｒのタイヤ１３ｔに外周側から押し付けることで制動力を発揮するシュー１１５が装着されている。
また、バネ１１３は、ブレーキアーム１１２のアームプレート部１１２ａの他端１１２ｄと、メインブラケット１０１のバネ係止部１０１ｃのバネ係止孔１０１ｈとの間に設けられている。
このようなブレーキ部材１１０は、操作ワイヤ１２０の操作によりブレーキアーム１１２が揺動すると、ブレーキアーム１１２の一端１１２ｃに設けられたシュー１１５が、車輪１３ｒのタイヤ１３ｔに押し付けられ、制動力を発揮する。
【００８１】
このような電動アシスト車輪ユニットＡをフレーム１１に組み付けるには、まず、フレーム１１の脚部フレーム１１ｃにメインブラケット１０１および固定ブラケット１０２を装着する。このとき、メインブラケット１０１に設けられたサポートアーム１１１には、ブレーキアーム１１２を装着しておくとともに、ブレーキアーム１１２とサポートアーム１１１との間にバネ１１３を係止しておく。
【００８２】
そして、メインブラケット１０１に、車輪１３ｒと予め一体に組み付けられた駆動ユニット２０Ａの減速機付モータ２１を装着する。
【００８３】
ここで、電動アシスト車輪ユニットＡは、フレーム１１の脚部フレーム１１ｃに組み付けるに先立ち、予め組み立てておいても良い。
【００８４】
（効果）
本実施形態によれば、電動アシスト車輪ユニットＡは、減速機付モータ２１、車輪１３ｒ、及びクラッチ機構Ｃ１をフレーム１１に固定するブラケット１００が車体のフレーム１１の脚部フレーム１１ｃに沿って延びているので、ブラケット１００をフレーム１１に対して強固に固定することができる。このようなブラケット１００は、車体のフレーム１１に沿うように形成すれば良く、板金加工等により低コストに製作することができる。
また、このようにして、減速機付モータ２１、車輪１３ｒ、及びクラッチ機構Ｃ１と、ブラケット１００と、ブレーキ部材１１０とが一体にユニット化されることで、電動アシスト車輪ユニットＡのフレーム１１への取付を容易に行うことができる。
このようにして、電動アシスト車輪ユニットＡを、既存のフレーム１１に対して強固に取り付けることができ、しかもコストを抑えることが可能となる。
【００８５】
また、ブラケット１００を構成するメインブラケット１０１および固定ブラケット１０２、およびブレーキ部材１１０を構成するサポートアーム１１１及びブレーキアーム１１２が、フレーム１１に対する取付位置を中心として対称に形成されているので、車体の左右で、部材を反転させることで共通化することができる。これによっても、低コスト化を図ることができる。
【００８６】
さらに、電動アシストシルバーカー１０は、フレーム１１に設けられた貫通孔１１ｈにブラケット１００を位置決めすることで、電動アシスト車輪ユニットＡを、車体のフレーム１１に対して確実かつ高精度に装着することができる。
【００８７】
さらに、貫通孔１１ｈに、フレーム１１に既設されていたブレーキ装着用の穴を用いることで、フレーム１１への加工等を抑えて、電動アシスト車輪ユニットＡを容易かつ低コストに装着することができる。
【００８８】
また、減速機付モータ２１、車輪１３ｒ、及びクラッチ機構Ｃ１をフレーム１１に固定するブラケット１００が、メインブラケット１０１のサポート部１０１ａと複数の固定ブラケット１０２のサポート部１０２ａとの間に脚部フレーム１１ｃを挟み込むことによって、フレーム１１に固定されている。これにより、簡易な構造で、電動アシスト車輪ユニットＡをフレーム１１に固定することができる。
【００８９】
（その他の実施形態）
なお、本発明は上述の実施形態に限られるものではなく、本発明の趣旨を逸脱しない範囲において、上述の実施形態に種々の変更を加えたものを含む。
【００９０】
例えば、上記実施形態において、駆動ユニット２０Ａの構成について詳述したが、駆動ユニット２０Ａについては、いかなる構成のものとしてもよい。
【００９１】
また、上記実施形態では、手押し移動体として電動アシストシルバーカー１０を例に挙げたが、もちろん、これに限らず、ベビーカーや、ショッピングカート、リハビリテーション用歩行車、台車等にも本発明を同様に適用することができる。
これ以外にも、本発明の主旨を逸脱しない限り、上記実施の形態で挙げた構成を取捨選択したり、他の構成に適宜変更したりすることが可能である。
【符号の説明】
【００９２】
１０…電動アシストシルバーカー（手押し移動体）
１１…フレーム
１１ｈ…貫通孔（位置決め固定部）
１３ｒ…車輪
２０Ａ…駆動ユニット
２１…減速機付モータ（モータ）
１００…ブラケット（固定部材）
１１０…ブレーキ部材（ブレーキ機構）
２４０…駆動軸
Ａ…電動アシスト車輪ユニット
Ｃ１…クラッチ機構
【図１】
2017024459.tif 000003
【図２】
2017024459.tif 000004
【図３】
2017024459.tif 000005
【図４】
2017024459.tif 000006
【図５】
2017024459.tif 000007
【図６】
2017024459.tif 000008
【図７】
2017024459.tif 000009
【図８】
2017024459.tif 000010
【図９】
2017024459.tif 000011
【図１０】
2017024459.tif 000012
【図１１】
2017024459.tif 000013
【図１２】
2017024459.tif 000014
【図１３】
2017024459.tif 000015
【図１４】
2017024459.tif 000016
【図１５】
2017024459.tif 000017
【図１６】
2017024459.tif 000018
【図１７】
2017024459.tif 000019
【図１８】
2017024459.tif 000020
【図１９】
2017024459.tif 000021